(57)【要約】      （修正有）【課題】電気ヒーターを熱源とする家庭用のサウナ装置、あるいはさらに遠赤外線放射セラミックス等を用いた家庭用のサウナ装置において、サウナ装置に不具合を生じさせることなく、サウナ室側面から均等に快適な暖かさを受けることが可能なサウナ装置を提供する。【解決手段】サウナ室内の出入口ドア３に、赤外線または遠赤外線の反射板１を設置するとともに、出入口ドアを有しない側面に各々電気ヒーター２による熱源を設置した家庭用サウナ装置とする。【選択図】図１
2005095458.tif 000002
【特許請求の範囲】
【請求項１】
サウナ室内に４個の側面と椅子が備えられた構成の家庭用サウナ装置であって、該サウナ室内の出入口ドアに、赤外線または遠赤外線の反射板を設置するとともに、出入口ドアを有しない３個の側面に各々電気ヒーターによる熱源を設置したことを特徴とする家庭用サウナ装置。
【請求項２】
サウナ室内の４個の側面のうち、主に１個の側面と隣接または近接して椅子が備えられた構成の家庭用サウナ装置であって、該サウナ室内の出入口ドアに、赤外線または遠赤外線の反射板を設置するとともに、椅子と隣接または近接せず出入口ドアを有しない２個の側面に各々電気ヒーターによる熱源を設置したことを特徴とする家庭用サウナ装置。
【請求項３】
椅子が４個の側面と離れて設置された請求項１に記載の家庭用サウナ装置。
【請求項４】
椅子が１個の側面と隣接または近接して設置されるとともに、熱源または椅子に火傷を防止するための手段が設けられた請求項１に記載の家庭用サウナ装置。
【請求項５】
反射板及び熱源を実質的に同じ高さとなるように設置した請求項１または請求項２に記載の家庭用サウナ装置。
【請求項６】
互いに隣接する側面の反射板と熱源の距離、熱源同士の距離を実質的に等間隔となるように設置した請求項１または請求項２に記載の家庭用サウナ装置。
【請求項７】
反射板が、金属箔、金属板、鏡、または防曇鏡である請求項１または請求項２に記載の家庭用サウナ装置。
【発明の詳細な説明】
【技術分野】
【０００１】
本発明は、家庭用サウナ装置に関するものである。更に詳細には、電熱線や面状発熱体等の電気ヒーターを熱源とする家庭用のサウナ装置、あるいはさらに遠赤外線放射セラミックス等を用いた家庭用のサウナ装置であって、サウナ室側面から均等に快適な暖かさを受けることが可能な家庭用サウナ装置に関するものである。
【背景技術】
【０００２】
従来からサウナ装置として、サウナ室内に電熱線や面状発熱体等の電気ヒーターによる熱源、さらにこれらの熱源とともにセラミックス板を設置し、赤外線または遠赤外線により室内を８０〜１１０℃程度の高温度、低湿度に設定するドライ式サウナ装置、あるいはスチーム発生器によりスチームを発生させ、これをサウナ室内に供給して、室内を５０〜９０℃程度の温度、相対湿度１００％に近い高湿度に設定するスチーム式サウナ装置が、業務用のサウナ装置として一般的に多く使用されている。また、比較的に電気エネルギーの出力が小さく、サウナ室内の温度が５０〜８０℃程度に保持できる家庭用サウナ装置（ドライ式）が市販されている。
【０００３】
これらのうち家庭用サウナ装置は、サウナ室内に、電気ヒーターによる熱源、椅子、出入口ドア等を備えたコンパクトな構成であり、家庭内において、疲労回復、ストレス解消等の目的で容易に使用することができるものである。サウナ室は、通常は立方体、直方体、あるいはこれらの形状に類似した形状の外形を有し、椅子が中央部、または主に１側面と隣接、近接して設置されており、大人１〜２人が同時に入浴することができる程度の広さである。また、出入口ドアを有する側面は、その表面積の大部分が出入口ドアの開閉部により占められる構成である。天井、側面、床等は、通常は比較的に軽くて断熱性が高い木材、プラスチック等の材料で構成されている。
【特許文献１】特開平７−２１３５７８号公報
【特許文献２】実開平５−１４２号公報
【特許文献３】実開平５−３９５４６号公報
【発明の開示】
【発明が解決しようとする課題】
【０００４】
しかし、家庭用サウナ装置は、サウナ室が比較的に狭く、例えば入浴している人の右側のみに熱源を設置した場合、その人自身により熱が遮られ左側に熱が充分に伝わらず快適な暖かさが得られなかった。そのため、サウナ室内の側面全体にわたり熱源を設置することが好ましいが、出入口ドアに熱源を設置すると熱源を加熱した際に、木材あるいはプラスチック等の材料からなる出入口ドアが歪んでしまうという不都合があった。
【０００５】
前記の不都合を回避するために、出入口ドアを小さくして熱源が出入口ドアにかからないように設置することもできるが、家庭用サウナ装置自体が比較的に小さな構成であるので困難であった。また、出入口ドアの材料を熱により歪みにくい金属やセラミックス等にすることも考えられるが、金属は重いという欠点、熱が外部に逃げやすいという欠点があり、セラミックスは材料が高価であるという欠点があった。このような理由で、出入口ドアに熱源を設置しない場合は、全身に快適な暖かさを得るために、例えば入浴中に時々方向を転換する必要があった。
【０００６】
従って、本発明が解決しようとする課題は、前記のような電熱線や面状発熱体等の電気ヒーターを熱源とする家庭用のサウナ装置、あるいはさらに遠赤外線放射セラミックス等を用いた家庭用のサウナ装置において、サウナ装置に不具合を生じさせることなく、サウナ室側面から均等に快適な暖かさを受けることが可能なサウナ装置を提供することである。
【課題を解決するための手段】
【０００７】
本発明者らは、これらの課題を解決すべく鋭意検討した結果、前記のような家庭用サウナ装置において、電気ヒーターによる熱源のほか、赤外線または遠赤外線の反射板を用い、出入口ドアを有しない側面に熱源を設置するとともに、出入口ドアには反射板を設置して赤外線または遠赤外線を反射させるような構成とすることにより、サウナ室側面から均等に快適な暖かさを受けることができることを見い出し本発明のサウナ装置に到達した。
【０００８】
すなわち本発明は、サウナ室内に４個の側面と椅子が備えられた構成の家庭用サウナ装置であって、該サウナ室内の出入口ドアに、赤外線または遠赤外線の反射板を設置するとともに、出入口ドアを有しない３個の側面に各々電気ヒーターによる熱源を設置したことを特徴とする家庭用サウナ装置である。
また、本発明は、サウナ室内の４個の側面のうち、主に１個の側面と隣接または近接して椅子が備えられた構成の家庭用サウナ装置であって、該サウナ室内の出入口ドアに、赤外線または遠赤外線の反射板を設置するとともに、椅子と隣接または近接せず出入口ドアを有しない２個の側面に各々電気ヒーターによる熱源を設置したことを特徴とする家庭用サウナ装置でもある。
【０００９】
本発明は、電熱線や面状発熱体等の電気ヒーターを熱源とする家庭用のサウナ装置、あるいはさらに遠赤外線放射セラミックス等を用いた家庭用のサウナ装置に適用される。
以下、本発明のサウナ装置を、図１〜図７に基づいて詳細に説明するが、本発明がこれらにより限定されるものではない。
図１、図３は、本発明のサウナ装置の例を示す斜視図である。また、図２、図４は、各々図１、図３のサウナ装置の平面図である。また、図５〜図７は、本発明のサウナ装置の図２、図４以外の例を示す平面図である。。
【００１０】
本発明の第１の形態のサウナ装置は、図１、図２に示すように、サウナ室内に４個の側面と椅子４が備えられた構成の家庭用サウナ装置であって、サウナ室内の出入口ドア３に、赤外線または遠赤外線の反射板１を設置するとともに、出入口ドアを有しない３個の側面に各々電気ヒーターによる熱源２を設置した家庭用サウナ装置である。また、本発明の第２の形態のサウナ装置は、図３、図４に示すように、サウナ室内の４個の側面のうち、主に１個の側面と隣接または近接して椅子４が備えられた構成の家庭用サウナ装置であって、サウナ室内の出入口ドア３に、赤外線または遠赤外線の反射板１を設置するとともに、椅子４と隣接または近接せず出入口ドア３を有しない２個の側面に各々電気ヒーターによる熱源２を設置した家庭用サウナ装置である。
【００１１】
尚、本発明の第１の形態のサウナ装置においては、入浴者が火傷をすることを避けるために、通常は側面と離れて椅子が備えられる。しかしながら、熱源または椅子に火傷を防止するための手段が設けられている場合は、椅子を側面と接触させて設けることもできる。このような手段としては、例えば熱源の表面に格子状の木材を設置する方法等を挙げることができる。また、本発明の第２の形態のサウナ装置において、椅子と隣接または近接する側面に熱源を設けない理由は、前記以外の場合において、その側面に熱源を設けると入浴者が火傷をする虞があるためである。このような状態となるような椅子と側面の配置は、本発明においては隣接または近接することを意味するものである。このような範囲は、通常は側面から１０ｃｍ程度である。さらに、第２の形態のサウナ装置において、椅子は通常は１個の側面のみに隣接または近接して設けられるが、椅子の片側または両側は、反射板あるいは熱源の影響を受けない範囲で前記側面の隣の側面に接触させて設置することもできる。
【００１２】
本発明においては、第１の形態のサウナ装置であっても、第２の形態のサウナ装置であっても、赤外線または遠赤外線の反射板が出入口ドアの内側に設置される。このような構成とすることにより、出入口ドアに熱源を設置しなくても、他の側面に設置された熱源から放射された赤外線または遠赤外線が反射板により反射して、出入口ドア方向から熱を受けることができるので、木材あるいはプラスチック等の材料からなる出入口ドアに歪みを生じさせることなく、サウナ室側面から均等に快適な暖かさを受けることが可能となる。尚、出入口ドアは、入浴者が椅子に座ったときの方向で、前後方向、左右方向のいずれにも設置することができる。
【００１３】
本発明のサウナ装置においては、前記の赤外線または遠赤外線の反射板、電気ヒーターによる熱源を、実質的に同じ高さとなるように設置することが好ましい。具体的には、これらの中心点（重心）における高さの相異が、最大で３０ｃｍ以内となるように設置することが好ましい。高さの相異が最大で３０ｃｍを超える場合は、上下方向に対して均等に快適な暖かさを受けることができなくなる虞がある。尚、１個の側面において２個以上の熱源を設置する場合は、そのエネルギーや面積の大きさ等を考慮して平均の高さが決定される。
【００１４】
また、本発明のサウナ装置においては、互いに隣接する側面の反射板と熱源の距離、熱源同士の距離を、実質的に等間隔となるように設置することが好ましい。具体的には、これらの中心点（重心）における間隔の相異が、最大で５０ｃｍ以内となるように設置することが好ましい。間隔の相異が最大で５０ｃｍを超える場合は、水平方向に対して均等に快適な暖かさを受けることができなくなる虞がある。尚、第２の形態のサウナ装置においては、椅子と隣接または近接している側面については、通常は熱源を設置しないので、この部分は考慮しないものとする。
【００１５】
本発明のサウナ装置において用いられる赤外線または遠赤外線の反射板としては、金属箔、金属板、鏡等を例示することができる。本発明のサウナ装置は、通常はドライ式サウナ装置に適用されるが、スチームを併用する場合、表面が曇ることがあるので、高い温度を要しない防曇鏡を用いることが好ましい。反射板の大きさについては特に制限されることはないが、通常は正方形に換算して１辺が１０〜８０ｃｍ程度の大きさのものが使用される。
【００１６】
本発明のサウナ装置においては、電気ヒーターによる熱源を、図１〜図４の位置のほか、図５に示すように床の一部、あるいは図６に示すように出入口ドアを有する側面であっても開閉部以外の位置にも設置することができる。また、１個の側面に複数個の熱源を有する場合、その一部を赤外線または遠赤外線の反射板に置き換えることもできる。また、本発明のサウナ装置は、通常は立方体、直方体の外形を有するサウナ装置に適用されるが、図７に示すように、これらに類似した外形を有するサウナ装置にも適用できる。
【発明の効果】
【００１７】
本発明の家庭用サウナ装置は、電気ヒーターによる熱源のほか、赤外線または遠赤外線の反射板を用い、出入口ドアを有しない側面に熱源を設置するとともに、出入口ドアには反射板を設置して赤外線または遠赤外線を反射させる構成を備えたものである。本発明の家庭用サウナ装置は、このような構成であるので、加熱されて歪む虞があって熱源が設置されなかった出入口ドアから、快適な暖かさを受けることができる。その結果、サウナ室側面全体から均等に快適な暖かさを受けることが可能となった。
【発明を実施するための最良の形態】
【００１８】
次に、本発明を実施例により具体的に説明するが、本発明がこれらにより限定されるものではない。
【実施例１】
【００１９】
（サウナ装置の製作）
図１に示すような縦５５ｃｍ、横９０ｃｍ、高さ１７０ｃｍの木製のサウナ装置を製作した。出入口ドアは、横４２ｃｍ、高さ１４４ｃｍ、厚さ４ｃｍの木板であり、赤外線または遠赤外線の反射板として、横４０ｃｍ、高さ８０ｃｍの鏡を、中心の高さがサウナ室の床から４３ｃｍの位置となるように設置した。また、前記の反射板と同じ大きさの面状発熱体（０．２５ｋｗ）を、出入口ドアを有しない３個の側面に１個ずつ、中心の高さがサウナ室の床から４５ｃｍの位置となるように、互いに隣接する側面の反射板と熱源の距離、熱源同士の距離が等間隔となるように設置した。また、脚部の高さが５７ｃｍ、背もたれの高さが４０ｃｍの椅子を、サウナ室内のほぼ中央に設置した。
【００２０】
（サウナ装置の評価）
３個の面状発熱体に１００Ｖの交流電圧を通電してサウナ室内を加熱したところ、約２０分でサウナ室内の天井中央部から２０ｃｍ下の位置に吊るした温度計の温度が５８℃で一定になった。次に、男性一人がサウナ室内に入り、２０分間の体感試験を行なった。その結果、サウナ室側面から均等に快適な暖かさを受けることができた。
【実施例２】
【００２１】
実施例１のサウナ装置の製作において、赤外線または遠赤外線の反射板としてアルミ板を用いたほかは実施例１と同様にしてサウナ装置を製作した。
このサウナ装置の３個の面状発熱体に１００Ｖの交流電圧を通電してサウナ室内を加熱したところ、約２０分で温度計の温度が５８℃で一定になった。次に、男性一人がサウナ室内に入り、２０分間の体感試験を行なった。その結果、サウナ室側面から均等に快適な暖かさを受けることができた。
【実施例３】
【００２２】
（サウナ装置の製作）
図３に示すような縦５５ｃｍ、横９０ｃｍ、高さ１７０ｃｍの木製のサウナ装置を製作した。出入口ドアは、横４２ｃｍ、高さ１４４ｃｍ、厚さ４ｃｍの木板であり、赤外線または遠赤外線の反射板として、横４０ｃｍ、高さ８０ｃｍの鏡を、中心の高さがサウナ室の床から４３ｃｍの位置となるように設置した。また、前記の反射板と同じ大きさの面状発熱体（０．２５ｋｗ）を、椅子を設置しない出入口ドアを有しない２個の側面に１個ずつ、中心の高さがサウナ室の床から４５ｃｍの位置となるように設置した。尚、互いに隣接する側面の反射板と熱源の距離、熱源同士の距離は、椅子を設置する側面部を除いて等間隔となるように設置した。また、脚部の高さが５７ｃｍ、背もたれの高さが４０ｃｍの椅子を、面状発熱体を設置しなかった側面に接するように設置した。
【００２３】
（サウナ装置の評価）
２個の面状発熱体に１００Ｖの交流電圧を通電してサウナ室内を加熱したところ、約４５分でサウナ室内の天井中央部から２０ｃｍ下の位置に吊るした温度計の温度が５８℃で一定になった。次に、男性一人がサウナ室内に入り、２０分間の体感試験を行なった。その結果、サウナ室側面から均等に快適な暖かさを受けることができた。
【実施例４】
【００２４】
実施例３のサウナ装置の製作において、赤外線または遠赤外線の反射板として表面にアルミ箔を積層させた木板を用いたほかは実施例３と同様にしてサウナ装置を製作した。
このサウナ装置の２個の面状発熱体に１００Ｖの交流電圧を通電してサウナ室内を加熱したところ、約４５分で温度計の温度が５８℃で一定になった。次に、男性一人がサウナ室内に入り、２０分間の体感試験を行なった。その結果、サウナ室側面から均等に快適な暖かさを受けることができた。
【実施例５】
【００２５】
実施例１のサウナ装置の製作において、椅子を側面と接するように設置するとともに、この側面の熱源表面に格子状の木材を設置したほかは実施例１と同様にしてサウナ装置を製作した。
このサウナ装置の３個の面状発熱体に１００Ｖの交流電圧を通電してサウナ室内を加熱したところ、約２０分でサウナ室内の天井中央部から２０ｃｍ下の位置に吊るした温度計の温度が５８℃で一定になった。次に、男性一人がサウナ室内に入り、２０分間の体感試験を行なった。その結果、サウナ室側面から均等に快適な暖かさを受けることができた。
【００２６】
（比較例１）
実施例１のサウナ装置の製作において、赤外線または遠赤外線の反射板を用いなかったほかは実施例１と同様にしてサウナ装置を製作した。
このサウナ装置の３個の面状発熱体に１００Ｖの交流電圧を通電してサウナ室内を加熱したところ、約２０分で温度計の温度が５８℃で一定になった。次に、男性一人がサウナ室内に入り、２０分間の体感試験を行なった。その結果、出入口ドアを有する側面からは充分に熱を受けることができず、快適な暖かさが得られなかった。
【００２７】
（比較例２）
実施例３のサウナ装置の製作において、赤外線または遠赤外線の反射板を用いなかったほかは実施例３と同様にしてサウナ装置を製作した。
このサウナ装置の２個の面状発熱体に１００Ｖの交流電圧を通電してサウナ室内を加熱したところ、約４５分で温度計の温度が５８℃で一定になった。次に、男性一人がサウナ室内に入り、２０分間の体感試験を行なった。その結果、出入口ドアを有する側面からは充分に熱を受けることができず、快適な暖かさが得られなかった。
【００２８】
（比較例３）
実施例５のサウナ装置の製作において、赤外線または遠赤外線の反射板を用いなかったほかは実施例５と同様にしてサウナ装置を製作した。
このサウナ装置の３個の面状発熱体に１００Ｖの交流電圧を通電してサウナ室内を加熱したところ、約２０分で温度計の温度が５８℃で一定になった。次に、男性一人がサウナ室内に入り、２０分間の体感試験を行なった。その結果、出入口ドアを有する側面からは充分に熱を受けることができず、快適な暖かさが得られなかった。
【図面の簡単な説明】
【００２９】
【図１】本発明の家庭用サウナ装置（第１の形態）の例を示す斜視図
【図２】図１の家庭用サウナ装置の平面図
【図３】本発明の家庭用サウナ装置（第２の形態）の例を示す斜視図
【図４】図３の家庭用サウナ装置の平面図
【図５】本発明の家庭用サウナ装置の例を示す平面図
【図６】本発明の家庭用サウナ装置の例を示す平面図
【図７】本発明の家庭用サウナ装置の例を示す平面図
【符号の説明】
【００３０】
１  赤外線または遠赤外線の反射板
２  電気ヒーターによる熱源
３  出入口ドア
４  椅子
５  サウナ装置の側面
【図１】
2005095458.tif 000003
【図２】
2005095458.tif 000004
【図３】
2005095458.tif 000005
【図４】
2005095458.tif 000006
【図５】
2005095458.tif 000007
【図６】
2005095458.tif 000008
【図７】
2005095458.tif 000009